(57)【要約】【課題】永久アンカーが施工された壁構造を構築するにあたり、永久アンカーを仮設アンカーとしても機能させる。【解決手段】山留め杭１０の打設後、山留め杭１０の内側地盤を根切りしながら、斜め型の永久アンカー１４を打設すると共に、山留め杭１０に腹起こし２０を取り付け、さらに腹起こし２０に台座２２を取り付けて、緊張した永久アンカー１４を台座２２に定着する。全段の永久アンカー１４の施工後、下段から順に、台座２２の下方の高さまで壁構造１６のコンクリートを打設してアンカー張力を開放し、台座２２および腹起こし２０を解体撤去して、次段上のコンクリートを打設した後、アンカーを再緊張して、コンクリートに定着するという工程を繰り返す。【選択図】      図６
2004353267.tif 000002
【特許請求の範囲】
【請求項１】
永久アンカーが施工された壁構造の構築方法であって、
地盤に山留めを打設する山留め打設工程と、
該山留めの内側の地盤を根切りする根切り工程と、
該根切り部分に斜め型のアンカーを打設するアンカー打設工程と、
アンカー定着部材を前記山留めに取り付け、前記打設したアンカーを緊張して前記アンカー定着部材に定着するアンカー定着工程と、
前記アンカー定着部材の下方の高さまで壁構造のコンクリートを打設する第１のコンクリート打設工程と
前記第１のコンクリート打設工程の後、前記アンカーの張力を緩めて前記アンカー定着部材を撤去する仮設撤去工程と、
前記アンカー定着部材の撤去後、前記壁構造のコンクリートを上方へ打設する第２のコンクリート打設工程と、
前記第２のコンクリート打設工程の後、前記アンカーを再緊張し、当該打設したコンクリートに定着するアンカー再定着工程と、を備えることを特徴とする方法。
【請求項２】
前記アンカーは複数段に設けられ、上段側から下段側へ各段ごとに、前記根切り工程、前記アンカー打設工程、および、前記アンカー定着工程を行って、全段のアンカーの施工が完了した後、下段側から上段側へ各段ごとに、前記第１のコンクリート打設工程、前記仮設撤去工程、前記第２のコンクリート打設工程、および、前記アンカー再定着工程を行うことを特徴とする請求項１記載の方法。
【請求項３】
ある段についての前記第２のコンクリート打設工程と、その段より一つ上の段についての前記第１のコンクリート打設工程とを共通の工程として行うことを特徴とする請求項２記載の方法。
【請求項４】
前記壁構造の外周面と根切りされた地盤の内側面との間の空間に砕石を設置すると共に、前記壁構造にその内側面と外側面との間を貫通する水抜き管を設けることを特徴とする請求項１または２記載の方法。
【請求項５】
請求項１〜４のうち何れか１項記載の方法により構築された壁構造。
【発明の詳細な説明】
【０００１】
【発明の属する技術分野】
本発明は、永久アンカーが施工された壁構造の構築方法およびこの方法により構築された壁構造に関する。
【０００２】
【従来の技術】
例えば傾斜地に建物外壁や擁壁などの壁構造を構築する場合、斜め型の仮設アンカーを用いた山留め工事を行ってから壁の構築工事を行うのが一般的である（例えば特許文献１を参照）。この特許文献１に記載された仮設アンカーでは、山留め用鋼材を打ち込んだ後、鋼棒からなるアースアンカーを傾斜地の地盤へ斜めに埋め込み、このアースアンカーの端部を止体によって山留め用鋼材に定着している。
【０００３】
これに対して、特許文献２には、山留め杭に斜め型の永久アンカーを施工し、この永久アンカーに土圧を負担させることにより、仮設アンカーを用いることなく構築物を構築する工法が開示されている。この工法では、構築物を上部より一段ずつ構築し、各段の構築が終了する毎に永久アンカーを施工して土圧を負担させるようにしている。
【０００４】
【特許文献１】
特開昭６２−６３７２２号公報
【０００５】
【特許文献２】
特開平５−２０２５２７号公報
【０００６】
【発明が解決しようとする課題】
しかし、仮設アンカーを用いることなく工事を行うことは、斜め型永久アンカーの構築後にその下を根切りする際に、山留め杭のみに土圧を負担させることであり、根切り深さが大きくなると山留め杭の変形も増大してしまうため実用的でない。したがって、従来、傾斜地に壁構造を構築する場合、仮設アンカーを用いざるを得なかった。
【０００７】
上記特許文献１に開示されるような斜め型の仮設アンカーを用いて壁構造の構築工事を行う場合、仮設アンカーや山留め用鋼材を再利用するために、壁構造を構築しながら仮設アンカーを取り外していき、山留用鋼材も解体して除去するのが通常である。しかし、仮設アンカー等を撤去してしまうと、壁構造には大きな土圧が作用する。そこで、壁構造がそのような土圧に耐えられるよう、構築した壁に永久アンカーを施工することが考えられる。
【０００８】
図９は、仮設アンカーを用いた山留めを行ったうえで、永久アンカーを用いて壁構造を構築する構成を示す断面図であり、図１０は、図９の左側から見た正面図である。これらの図面を参照して壁構造の施工手順を説明すると、先ず、山留め杭５０を打設し、この山留め杭５０の内側（図９における左側）の地盤を根切りする。根切り深さが最上段の仮設アンカー施工位置まで達すると、鋼製の腹起こし５２を山留め杭５０に取り付け、この腹起こし５２に仮設アンカー定着固定用の台座５４を固定する。そして、最上段の仮設アンカー５６ａを施工して、台座５４に定着固定する。以後、最下段の仮設アンカー５６ｃまで、このような根切りと仮設アンカー５６の施工とを繰り返す。
【０００９】
仮設アンカー５６の工事が終わると床付を行う。そして、床コンクリート５８を打設し、この床コンクリート５８から上方へ壁構造６０を打設しながら、仮設アンカー５６、腹起こし５２、台座５４を下段から順に撤去していく。すなわち、図１６および図１７の例では、最下段の仮設アンカー５６ｃ等を撤去してから床コンクリート５８を打設し、次段の仮設アンカー５６ｂ等を撤去してから壁構造６０の最下部を打設し、更に、最上段の仮設アンカー５６ａ等を撤去してから、壁構造６０の残りの部分を打設する。また、壁構造６０の打設を行いながら、斜め型の永久アンカー６２の施工も行う。こうして壁構造６０の構築が完了する。
【００１０】
以上説明したように、図９および図１０に示す工事では、仮設アンカー５６等の施工や撤去の作業が必要となり、施工コストが増大すると共に工事が長期化してしまう。さらに、山留め杭５０と壁構造６０との間の空間が狭いため、仮設撤去作業は極めて行い難い。しかも、仮設アンカー５６等の撤去作業または外壁型枠作業などは、壁構造６０や永久アンカー６２の施工と並行して行わねばならないため作業が輻輳し、作業効率が悪くなってしまう。
【００１１】
また、仮設アンカー５６と永久アンカー６２の両方を施工するためアンカー施工本数が増大し、この点でもコスト増および工事の長期化を招くと共に、効率的なアンカーの配置計画を行うのが難しいという問題もある。
【００１２】
本発明は上記の点に鑑みてなされたものであり、永久アンカーを仮設アンカーとしても機能させることで、仮設アンカーと本設アンカーの両方を施工することに伴う上記の問題点を解消することを目的とする。
【００１３】
【課題を解決するための手段】
上記の目的を達成するため、本発明は、永久アンカーが施工された壁構造の構築方法であって、
地盤に山留めを打設する山留め打設工程と、
該山留めの内側の地盤を根切りする根切り工程と、
該根切り部分に斜め型のアンカーを打設するアンカー打設工程と、
アンカー定着部材を前記山留めに取り付け、前記打設したアンカーを緊張して前記アンカー定着部材に定着するアンカー定着工程と、
前記アンカー定着部材の直下の高さまで壁構造のコンクリートを打設する第１のコンクリート打設工程と
前記第１のコンクリート打設工程の後、前記アンカーの張力を緩めて前記アンカー定着部材を撤去する仮設撤去工程と、
前記アンカー定着部材の撤去後、前記壁構造のコンクリートを上方へ打設する第２のコンクリート打設工程と、
前記第２のコンクリート打設工程の後、前記アンカーを再緊張し、当該打設したコンクリートに定着するアンカー再定着工程と、を備えることを特徴とする。
【００１４】
本発明によれば、山留めに取り付けたアンカー定着部材にアンカーを定着する。これにより、打設したアンカーが仮設アンカーとして山留め杭を支持することになる。この後、アンカー定着部材の直下まで壁構造のコンクリートを打設し、アンカーの張力を緩めてアンカー定着部材を撤去する。これにより、アンカー定着部材を再利用することが可能となると共に、アンカー定着部材の直下まで打設したコンクリートに土圧の一部を負担させることができる。アンカー定着部材の撤去後、コンクリートを上方へ打設して、アンカーを再緊張し、当該打設したコンクリートに定着する。これにより、アンカーは永久アンカーとして壁構造を支持することになる。このように、本発明によれば、同じアンカーを仮設アンカーおよび永久アンカーの両方として機能させることができる。
【００１５】
また、本発明の一態様において、前記アンカーは複数段に設けられ、上段側から下段側へ各段ごとに、前記根切り工程、前記アンカー打設工程、および、前記アンカー定着工程を行って、全段のアンカーの施工が完了した後、下段側から上段側へ各段ごとに、前記第１のコンクリート打設工程、前記仮設撤去工程、前記第２のコンクリート打設工程、および、前記アンカー再定着工程を行う。
【００１６】
この場合、ある段についての前記第２のコンクリート打設工程と、その段より一つ上の段についての前記第１のコンクリート打設工程とを共通の工程として行うことができる。
【００１７】
また、前記壁構造の外周面と根切りされた地盤の内側面との間の空間に砕石を設置すると共に、前記壁構造にその内側面と外側面との間を貫通する水抜き管を設けることとしてもよい。
【００１８】
【発明の実施の形態】
図１は、本発明の一実施形態において構築される鉄筋コンクリート造の壁構造を示す断面図である。同図に示す如く、本実施形態における構築物は、概略、山留め杭１０と、山留め杭１０の内側に構築された壁構造１６と、壁構造１６に定着固定された斜め型の永久アンカー１４と、壁構造１６と一体の床部１８等により構成される。壁構造１６は、例えば、建物外壁、ドライエリア部の外壁、あるいは、擁壁などである。なお、図１では、３段の永久アンカー１４（上から順に、永久アンカー１４ａ，１４ｂ，１４ｃ）を設けた場合を示しているが、永久アンカー１４の段数はこれに限らない。
【００１９】
山留め杭１０は例えばＨ型鋼からなり、壁構造１６の外壁面に沿って複数本が地盤に打設されている。また、本実施形態では、壁構造１６の外壁面に沿って波型鋼板３０を設置し、この波型鋼板３０と根切り部側面との間の空間に砕石３２を充填すると共に、壁構造１６に水抜き管２４を埋設し、波型鋼管３０の水抜き管２４の端部に対向する位置に穴が開けておくことにより、地盤から壁構造１６の内側への水抜きを行えるようにしている。ただし、地盤の水抜きを行う必要がない場合はこれらの構成は不要であり、壁構造１６が山留め杭１０に密着するようにコンクリートを打設してもよい。
【００２０】
図２〜図８は、上記図１に示す壁構造の構築工程を示す図である。先ず、図２に示すように、山留め杭１０を打設した後、所定深さ（最上段の永久アンカー１４ａの打設位置底部）まで根切りを行ったうえで、永久アンカー１４ａを打設し、緊張してアンカー定着部材を介して山留め杭１０に定着する（山留め打設工程、根切り工程、アンカー打設工程、アンカー定着工程）。アンカー定着部材は、腹起こし２０および台座２２により構成される。腹起こし２０は、例えば２本のＨ型鋼により構成され、例えば山留め杭１０に溶接されたブラケット２３上に設置される。そして、腹起こし２０の、山留め杭１０の間の部位にはアンカー定着用の台座２２が固定される（図３を参照）。図２に示すように、台座２２は、断面が略三角形状の鋼製部材であり、斜め上方に向いたアンカー定着面２２ａを有している。永久アンカー１４は、この台座２２のアンカー定着面２２ａに挿通され、緊張されたうえで定着部材３４によりアンカー定着面２２ａに定着される。なお、後述するように、永久アンカー１４は、台座２２への定着位置よりも更に上側の位置で定着し直されることになるので、アンカー鋼線はその分を見込んで長めに残しておく。
【００２１】
次に、図４に示すように、次段の永久アンカー１４ｂの深さまで根切りを行い、上記図２と同様の工程に、腹起こし２０および台座２２を取り付けて、永久アンカー１４を台座２２に定着する。このような工程を最下段の永久アンカー１４ｃまで繰り返す（図５）。
【００２２】
最下段の永久アンカー１４ｃまで施工した後、更に、床部１８の打設深さまで根切りを継続し、根切り完了後、壁構造１６および床部１８の配筋を行う。後述するように、壁構造１６のコンクリートの打設は複数段に分けて行うので、各段の壁構造１６の鉄筋は、一段上の打設部分のコンクリートの鉄筋と重ね継手を行える長さに配筋しておく。なお、以下の説明において、壁構造１６の各段のコンクリートを打設する場合、それに先立って、その打設部分に対応する高さの波板鋼板３０を設置しておき、また、必要に応じて砕石３２や水抜き管２４を設置しておくものとする。
【００２３】
床部１８および壁構造１６の配筋後、図６に示すように、床部１８のコンクリートを打設し、さらに、最下段の台座２２の直下の高さまで壁構造１６のコンクリートを打設する（第１のコンクリート打設工程）。このコンクリートの打設後、最下段の永久アンカー１４ｃの張力を開放し、台座２２および腹起こし２０を解体して撤去する（仮設撤去工程）。
【００２４】
次に、図７に示すように、永久アンカー１４の鋼線の露出部分を囲むように管状部材３６を設置したうえで、壁構造１６のコンクリートを上方へ打設する（第２のコンクリート打設工程）。このコンクリート打設部分１６ｂの上面には、アンカーの施工角度に合わせた斜めの定着面１６ａを設けておき、永久アンカー１４を再緊張して、定着部材３４によりこの定着面１６ａに定着する（アンカー再定着工程）。このように、コンクリートの打設高さによって永久アンカー１４のコンクリートへの定着位置が決まることになるため、このことを考慮してコンクリートの打設高さを適宜設定するものとする。
【００２５】
本実施形態では、下段の永久アンカー１４についての第２のコンクリート打設工程が、一段上の永久アンカー１４についての第１のコンクリート打設工程を兼ねるものとしており、上記のように、永久アンカー１４ｃをコンクリートに定着した後、永久アンカー１４ｂの張力を開放して、台座２２および腹起こし２０を解体・撤去する。そして、図８に示すように、コンクリートを上方へ打設して（永久アンカー１４ｂについての第２のコンクリート打設工程）、永久アンカー１４ｂを再緊張した後、打設したコンクリートの定着面１６ａに永久アンカー１４ｂを定着する。
【００２６】
以上の工程を、最上段の永久アンカー１４ａまで繰り返し、最後に、壁の最上部のコンクリートを打設することで、図１に示す壁構造の構築が完了する。
なお、上記の工程において、永久アンカー１４の張力を解放した際の土圧の一部は、打設済みの壁構造１６のコンクリートに負担させることができる。
【００２７】
以上説明したように、本実施形態によれば、山留め杭１０に取り付けた腹起こし２０および台座２２に永久アンカー１４を定着することで、根切り時の地盤の土圧を永久アンカー１４に確実に負担することができる。すなわち、永久アンカー１４を仮設アンカーとしても機能させることができる。また、腹起こし２０および台座２２は、壁構造１６のコンクリート打設時に撤去するので、これら腹起こし２０および台座２２を別の工事で再利用することができる。このため、腹起こし２０および台座２２としてリース品を用いることが可能となり、工事コストの削減を図ることができる。
【００２８】
また、上述のように、永久アンカー１４を仮設用のアンカーとしても機能させることができるので、従来のように仮設アンカーと本設アンカーとを別々に施工することが不要となり、アンカーの施工本数が少なくなる。これにより、アンカーの施工コストも削減できると共に、アンカーの配置計画を効率的に行えるというメリットもある。
【００２９】
また、腹起こし２０および台座２２を解体撤去した後、壁構造１６の構築を行うので、壁構造１６の配筋の際に腹起こし２０や台座２２が障害となることがなくなり、配筋作業も行い易くなる。
【００３０】
また、図８で壁構造１６のコンクリートを打設した後、永久アンカー１４の張力を解放した際に、土圧の一部は壁構造１６のコンクリートにも掛かるようになり、この状態で、永久アンカー１４を再緊張してコンクリート面に定着することで、土圧を壁構造１６に確実に負担させることができる。これにより、永久アンカー１４による壁構造１６の支持をより効果的に行うことができる。
【００３１】
さらに、本実施形態では、永久アンカー１４を壁構造１６の定着面１６ａに定着した後、この定着部を埋め殺すようにコンクリートを上方に打設している。これにより、永久アンカー１４の定着部が壁構造１６の内壁面（図８の左側の面）に露出することがなくなるので、壁構造１６の見栄えを良くすることができる。ただし、永久アンカー１４を壁構造１６の内壁面の表面で定着する構成としてもよい。
【００３２】
なお、上記実施形態では、山留めとしてＨ型鋼からなる山留め杭１０を用いることとしたが、本発明における山留めはこれに限らず、例えば鋼管矢板壁、柱列山留壁、連続地中壁などの山留め工法に用いることもできる。
【００３３】
【発明の効果】
本発明によれば、永久アンカーが施工された壁構造を構築するにあたり、永久アンカーを仮設アンカーとしても機能させることができ、これにより、仮設アンカーを別途設けることを不要にできる。
【図面の簡単な説明】
【図１】本発明の一実施形態において構築される鉄筋コンクリート造の壁構造を示す断面図である。
【図２】本実施形態における壁構造の構築工程を示す図（その１）である。
【図３】図２の工程を同図中左側からみた正面図である
【図４】本実施形態における壁構造の構築工程を示す図（その２）である。
【図５】本実施形態における壁構造の構築工程を示す図（その３）である。
【図６】本実施形態における壁構造の構築工程を示す図（その４）である。
【図７】本実施形態における壁構造の構築工程を示す図（その５）である。
【図８】本実施形態における壁構造の構築工程を示す図（その６）である。
【図９】仮設アンカーを用いた山留を行ったうえで、永久アンカーを用いて壁構造を構築した構成を示す断面図である。
【図１０】図９の左側から見た正面図である。
【符号の説明】
１０  山留め杭
１４（１４ａ，１４ｂ，１４ｃ）  永久アンカー
１６  壁構造
２０  腹起こし
２２  台座
２４  水抜き管
３０  波型鋼板
３２  砕石
【図１】
2004353267.tif 000003
【図２】
2004353267.tif 000004
【図３】
2004353267.tif 000005
【図４】
2004353267.tif 000006
【図５】
2004353267.tif 000007
【図６】
2004353267.tif 000008
【図７】
2004353267.tif 000009
【図８】
2004353267.tif 000010
【図９】
2004353267.tif 000011
【図１０】
2004353267.tif 000012